(57)【要約】【課題】内容積を大幅に且つ簡単に変更することが可能な収容箱を提供する。【解決手段】上面を開口した箱体１０と、箱体１０の底面１０Ｌに配置される緩衝シート５０と、緩衝シート５０上に配置されるカバーシート８０を備え、箱体１０の対向する内壁に、複数の係合部２１〜２３を上下方向に配置した係合群２０を各々形成し、カバーシート８０の前記内壁と対向する両端に、係合部２１〜２３に係脱可能に係合する被係合部８５Ａ及び８５Ｂを各々形成し、被係合部８５Ａ及び８５Ｂと、被係合部８５Ａ及び８５Ｂの近傍に位置するいずれかの係合部２１〜２３とを係合することにより、緩衝シート５０を箱体１０の底面１０Ｌに配置してなる収容箱である。【選択図】図１５
2010051392.tif 000002
【特許請求の範囲】
【請求項１】
上面を開口した箱体と、
前記箱体の底面に配置されるシートと、
前記シート上に配置されるカバーシートと、
を備え、
前記箱体の対向する内壁に、複数の係合部を上下方向に配置した係合群を各々形成し、
前記カバーシートの前記内壁と対向する両端に、前記係合部に係脱可能に係合する被係合部を各々形成し、
前記各々の被係合部と、当該各々の被係合部の近傍に位置するいずれかの係合部とを各々係合することにより、前記シートを前記箱体の底面に配置してなる収納箱。
【請求項２】
前記上下に配置された各々の係合部は、互いに異なる形状を有し、前記被係合部は、係合すべき係合部に応じて当該係合部との係合位置を決定する請求項１記載の収納箱。
【請求項３】
前記各々の係合部は、下方から上方に配置されるにしたがって、前記箱体の外側に近づくよう配置されている請求項１または請求項２記載の収納箱。
【請求項４】
前記各々の係合部は、前記被係合部を挿入可能な挿入孔と、当該挿入孔を画定する壁部に形成され、当該挿入孔内に突出する係合凸部と、を備えてなる請求項１ないし請求項３のいずれか一項に記載の収納箱。
【請求項５】
前記係合凸部は、互いに間隔をおいて２カ所形成されてなり、当該係合凸部同士間の距離が前記係合部毎に異なる請求項４記載の収納箱。
【請求項６】
前記各々の係合部は、下方から上方に配置されるにしたがって、前記係合凸部同士間の距離が長くなる請求項５記載の収納箱。
【請求項７】
前記被係合部は、前記係合凸部に係合する係合凹部を有してなる請求項４ないし請求項６のいずれか一項に記載の収納箱。
【請求項８】
前記被係合部は、前記挿入孔を貫通して前記箱体の外部に延出可能である請求項４ないし請求項７のいずれか一項に記載の収納箱。
【請求項９】
前記箱体の底面は、前記係合群が形成されている領域の少なくとも一部が開口された開口部を有してなり、前記被係合部の前記挿入孔から外部に延出した延出部は、当該開口部において湾曲可能であり、当該延出部を湾曲することで前記係合部と被係合部との係合を解除可能である請求項８記載の収納箱。
【請求項１０】
前記カバーシートが透過性シートである請求項１ないし請求項９のいずれか一項に記載の収納箱。
【請求項１１】
前記シートを複数有し、当該シートを積層して配設可能である請求項１ないし請求項１０のいずれか一項に記載の収納箱。
【請求項１２】
前記複数のシートは、第１のシートと、第１のシートよりも厚さが薄い第２のシートを含む請求項１１記載の収納箱。
【請求項１３】
上面を開口した箱体と、
前記箱体の底面に配置されるシートと、
を備え、
前記箱体の対向する内壁に、複数の係合部を上下方向に配置した係合群を各々形成し、
前記シートの前記内壁と対向する両端に、前記係合部に係脱可能に係合する被係合部を各々形成し、
前記各々の被係合部と、当該各々の被係合部の近傍に位置する係合部とを各々係合することにより、前記シートを前記箱体の底面に配置してなる収納箱。
【発明の詳細な説明】
【技術分野】
【０００１】
本発明は、例えば、パチンコ玉、あるいはスロットマシンやパチスロ機のメダル等のような被収納物を収納する収納箱に関する。
【背景技術】
【０００２】
従来、例えば、パチンコ玉、あるいはスロットマシンやパチスロ機のメダル等は、専用の収納箱（例えば、パチンコ用玉箱やメダル用箱等）に収容されるが、パチンコ玉やメダル等を収納箱に入れる際には、通常、これに伴う騒音や衝撃力が発生する。そこで、この騒音の発生を防止する目的で、前記収納箱の底面に緩衝シート（例えば、スポンジやビニール等の弾力板）を両面テープ等で貼り、落下して来るパチンコ玉やメダル等による衝撃音を和らげるようにした収納箱が提案されている。
【０００３】
このような収納箱として、上面を開口した箱体と、当該箱体の底面に配置されるシートを備え、前記箱体に係合部を形成し、前記シートに当該係合部が係脱可能に係合する被係合部を形成してなり、前記係合部は、前記箱体の側壁に形成され且つ前記被係合部を挿入可能な開口部を有し、前記開口部に前記被係合部を挿入することにより、当該被係合部と係合して前記シートを前記箱体の底面に配置してなる収納箱が紹介されている。この収納箱は、箱体に対するシートの脱着が容易であり、被収納物を収納する際に発生する騒音や衝撃力を抑制することができる。（例えば、特許文献１参照）。
【０００４】
また、近年では、内容積（例えば、玉やメダル等の被収納物を収容できる量）を、店主等のユーザが簡単に変更できる収納箱が要望されている。そこで、収納箱の底面に配置する緩衝シートの厚さを変更する、あるいは、緩衝シートを複数枚重ねる等の工夫がなされている。
【特許文献１】特開２００４−３５１１４０号公報
【発明の開示】
【発明が解決しようとする課題】
【０００５】
しかしながら、底面に緩衝シートを両面テープ等で貼付けるタイプの収納箱は、緩衝シートの厚さを変更する度に、緩衝シートを剥がしたり貼付けたりする必要があり、面倒である。また、緩衝シートを複数枚重ねる場合は、緩衝シートが収納箱から脱落しないように、各々の緩衝シートを両面テープ等で貼付ける必要があり、この場合もまた、緩衝シートの枚数を変更する度に、緩衝シートを剥がしたり貼付けたりする必要があり、面倒である。
【０００６】
また、特許文献１に記載されているように、箱体に形成された係合部と、緩衝シートに形成された被係合部とを係合させることで、当該箱体に対し緩衝シートを着脱可能に取付けるタイプの収納箱は、箱体に形成される係合部の位置を、緩衝シートの厚さによって変更することが困難である。したがって、緩衝シートの変更可能な厚さの範囲を十分に確保することが困難であり、内容積を大幅に変更することができないのが実状である。そしてまた、緩衝シートを複数枚重ねる場合は、最上部に重ねられた緩衝シートの被係合部と、箱体に形成された係合部とを係合させる必要があるが、係合部の位置を最上部に重ねられた緩衝シートの被係合部に合わせることは非常に困難である。
【０００７】
本発明は、このような事情に鑑みなされたものであり、内容積を大幅に且つ簡単に変更することが可能な収容箱を提供することを目的とする。
【課題を解決するための手段】
【０００８】
この目的を達成するため本発明は、上面を開口した箱体と、前記箱体の底面に配置されるシートと、前記シート上に配置されるカバーシートと、を備え、前記箱体の対向する内壁に、複数の係合部を上下方向に配置した係合群を各々形成し、前記カバーシートの前記内壁と対向する両端に、前記係合部に係脱可能に係合する被係合部を各々形成し、前記各々の被係合部と、当該各々の被係合部の近傍に位置するいずれかの係合部とを各々係合することにより、前記シートを前記箱体の底面に配置してなる収納箱を提供するものである。
【０００９】
この構成を備えた収納箱は、カバーシートがシート上に配置されているため、カバーシートの箱体内における上下方向の位置は、シートの厚さ及び／またはシートの積層枚数（１枚か、複数枚か）によって決定される。このカバーシートに形成された被係合部は、シート上に配設された際に、当該被係合部の近傍に位置する係合部と係合するため、前記シートの厚さ及び／またはシートの積層枚数によってカバーシートの位置が変更されても、当該カバーシートを箱体の内壁に取付けることができる。したがって、収納箱は、シートとカバーシートによって底上げされたことになり、内容積を簡単に変更することができ、且つ、シートの厚さ及び／またはシートの積層枚数を任意に変更することで、収納箱の内容積を大幅に変更することができる。
【００１０】
また、本発明にかかる収納箱の一態様として、前記上下に配置された各々の係合部が互いに異なる形状を有し、前記被係合部は、係合すべき係合部に応じて当該係合部との係合位置を決定する構成とすることができる。
【００１１】
そしてまた、本発明にかかる収納箱の一態様として、前記各々の係合部を、下方から上方に配置されるにしたがって、前記箱体の外側に近づくよう配置することができる。
【００１２】
さらにまた、本発明にかかる収納箱の一態様として、前記各々の係合部は、前記被係合部を挿入可能な挿入孔と、当該挿入孔を画定する壁部に形成され、当該挿入孔内に突出する係合凸部と、を備えることができる。この構成の場合、前記係合凸部は、互いに間隔をおいて２カ所形成されてなり、当該係合凸部同士間の距離が前記係合部毎に異なるよう構成することもできる。さらにこの構成の場合、前記各々の係合部は、下方から上方に配置されるにしたがって、前記係合凸部同士間の距離が長くなるよう構成することもできる。
【００１３】
また、本発明にかかる収納箱の一態様として、前記被係合部は、前記係合凸部に係合する係合凹部を有することができる。
【００１４】
そしてまた、本発明にかかる収納箱の一態様として、前記被係合部は、前記挿入孔を貫通して前記箱体の外部に延出可能に構成することができる。この構成の場合、前記箱体の底面は、前記係合群が形成されている領域の少なくとも一部が開口された開口部を有してなり、前記被係合部の前記挿入孔から外部に延出した延出部は、当該開口部において湾曲可能であり、当該延出部を湾曲することで前記係合部と被係合部との係合を解除可能とすることもできる。このようにすることで、前記利点に加え、前記カバーシートを箱体から簡単に取外すことができる。
【００１５】
前記カバーシートとして、例えば、透過性を有するカバーシートを使用することができる。このようにすることで、例えば、前記シートの上面に記載された文字や絵、写真等を、前記透過性のカバーシートを介して外部から目視することができる。また、前記シートと透過性のカバーシートとの間に、例えば、広告、写真、絵、メッセージカード等、任意のメッセージシートを配置し、これらを外部から目視することもできる。例えば、前記シートと透過性のカバーシートとの間に広告シートを配置すれば、効果的な宣伝活動となる。また、透過性のカバーシートは、簡単に着脱できるため、前記メッセージシートも簡単に交換することができる。そしてまた、この透過性のカバーシートの存在により、前記メッセージシートが汚れることを防止することもできる。
【００１６】
なお、本発明にかかる収納箱は、前記シートを複数用意し、当該複数のシートを積層して配設してもよい。この構成の場合、前記複数のシートは、第１のシートと、第１のシートよりも厚さが薄い第２のシートを含むことができる。このようにすることで、シートの厚さを任意に選択すること及び／またはシートの積層枚数を任意に選択することで、収納箱の内容積を大幅且つ簡単に変更することができる。
【００１７】
また、本発明は、上面を開口した箱体と、前記箱体の底面に配置されるシートと、を備え、前記箱体の対向する内壁に、複数の係合部を上下方向に配置した係合群を各々形成し、前記シートの前記内壁と対向する両端に、前記係合部に係脱可能に係合する被係合部を各々形成し、前記各々の被係合部と、当該各々の被係合部の近傍に位置する係合部とを各々係合することにより、前記シートを前記箱体の底面に配置してなる収納箱を提供するものである。
【００１８】
この構成を備えた収納箱は、シートの箱体内における上面の位置は、シートの厚さ及び／またはシートの積層枚数（１枚か、複数枚か）によって決定される。このシートに形成された被係合部は、当該被係合部の近傍に位置する係合部と係合するため、前記シートの厚さ及び／またはシートの積層枚数が変更されても、当該シートを箱体の内壁に取付けることができる。したがって、収納箱は、シートによって底上げされたことになり、内容積を簡単に変更することができ、且つ、シートの厚さ及び／またはシートの積層枚数を任意に変更することで、収納箱の内容積を大幅に変更することができる。
【発明の効果】
【００１９】
本発明にかかる収納箱は、カバーシートに形成された被係合部が、当該被係合部の近傍に位置する係合部と係合するため、当該カバーシートの位置が変更されても箱体の内壁に取付けることができる。この結果、収納箱の内容積を大幅に且つ簡単に変更することが可能である。
【００２０】
また、本発明にかかる収納箱は、シートに形成された被係合部が、当該被係合部の近傍に位置する係合部と係合するため、当該シートの厚さ及び／またはシートの積層枚数が変更されても箱体の内壁に取付けることができる。この結果、収納箱の内容積を大幅に且つ簡単に変更することが可能である。
【発明を実施するための最良の形態】
【００２１】
次に、本発明の好適な実施の形態にかかる収納箱について図面を参照して説明する。なお、本実施の形態では、収納箱として、パチンコ用玉箱を例にとって説明する。また、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２２】
図１は、本発明の実施の形態にかかるパチンコ用玉箱の構成要素である箱体の斜視図、図２は、図１に示す箱体の平面図、図３は、図１に示す箱体を図１に示す矢印Ａ方向から見た側面図、図４は、図１に示す箱体の底面図、図５は、図１に示す箱体を図１に示す矢印Ｂ方向から見た側面図、図６は、図２に示すVI−VI線に沿った断面図、図７は、図３に示すVII−VII線に沿った断面図、図８は、図６に示す箱体の一部を拡大して示す断面図、図９は、本発明の実施の形態にかかるパチンコ用玉箱の構成要素である緩衝シートの斜視図、図１０は、本発明の実施の形態にかかるパチンコ用玉箱の構成要素であるカバーシートの斜視図、図１１は、本実施の形態にかかるパチンコ用玉箱の一例を示す分解斜視図、図１２は、図１に示す箱体に１枚の緩衝シートをセットした状態を示す斜視図、図１３は、箱体にセットされた緩衝シートの枚数に応じてカバーシートをセットする状態を示す斜視図、図１４は、本実施の形態にかかるパチンコ用玉箱の一例を示す分解斜視図、図１５は、図１４に示すパチンコ用玉箱が完成した状態を示す斜視図、図１６は、本発明の実施の形態にかかるパチンコ用玉箱の一部を拡大して示す平面図、図１７は、図１６に示すXVII−XVII線に沿った断面図、図１８は、図１７に示すXVIII−XVIII線に沿った断面図、図１９は、本発明の実施の形態にかかるパチンコ用玉箱の一部を拡大して示す平面図、図２０は、図１９に示すXX−XX線に沿った断面図、図２１は、図２０に示すXXI−XXI線に沿った断面図、図２２は、本発明の実施の形態にかかるパチンコ用玉箱の一部を拡大して示す平面図、図２３は、図２２に示すXXIII−XXIII線に沿った断面図、図２４は、図２３に示すXXIV−XXIV線に沿った断面図、図２５は、図１７に示すパチンコ用玉箱からカバーシートを取外す途中の状態を示す断面図である。なお、前記各図では、説明を判り易くするため、各部材の厚さやサイズ、拡大・縮小率等は、実際のものとは一致させずに記載した。
【００２３】
図１〜図２５に示すように、本実施の形態にかかるパチンコ用玉箱１は、上面を開口した箱体１０と、箱体１０の底面１０Ｌに配置される緩衝シート５０と、緩衝シート５０上に配置されるカバーシート８０と、を備えている。
【００２４】
箱体１０は、略長方形の底面１０Ｌと、底面１０Ｌの長辺部分から立設され且つ互いに対向配置された一対の側壁１４Ａ及び１４Ｂと、底面１０Ｌの短辺部分から立設され且つ互いに対向配置されると共に、側壁１４Ａ及び１４Ｂに連続して形成された一対の側壁１５Ａ及び１５Ｂを有しており、その内側には、図示しないパチンコ玉を収容する略直方体の主凹状部１１が設けられている。底面１０Ｌの側壁１４Ａ及び１４Ｂ近傍の略中央部には、パチンコ玉が収容される貫通孔１９が各々形成されており、これらの貫通孔１９に収容されたパチンコ玉を介して箱体１０の外部に静電気を逃がすようになっている。
【００２５】
箱体１０の側壁１４Ａ及び１４Ｂの上部には、外側に向けて略水平に延出した張出し部１２が各々形成されている。この張出し部１２は、中央から長辺方向両側（主凹状部１１の短辺側）に沿って徐々に低位となる緩やかな傾斜面とされており、張出し部１２に置かれたパチンコ玉は、この傾斜面に沿って転がり、主凹状部１１内に落下するようになっている。
【００２６】
また、各々の張出し部１２の外側先端には、張出し部１２を転がるパチンコ玉が外部に落下することを防止する防護壁１３が形成されており、さらにこの防護壁１３は、側壁１５Ａ及び１５Ｂの上部に連続形成され、これによって防護壁１３は、箱体１０の上部に沿って形成される。なお、張出し部１２及び防護壁１３は、例えば、箱体１０に多量のパチンコ玉が収容されて運搬される際に変形を防止するべく、箱体１０全体の剛性を高める役目も有している。また、側壁１５Ａ及び１５Ｂの上部には、防護壁１３の上部に連続した握り部１６が各々形成されている。
【００２７】
さらにまた、箱体１０の側壁１５Ａ及び１５Ｂには、後に詳述するカバーシート８０に形成されている被係合部８５Ａ及び８５Ｂが係脱可能に各々係合する係合群２０が、それぞれ配設されている。係合群２０は、側壁１５Ａ（１５Ｂ）から箱体１０の内側に向けて側壁１４Ａ（１４Ｂ）と略平行に突出し且つ互いに間隔をおいて対向配置された壁部２４及び２５と、壁部２４及び２５と一体的に形成されて壁部２４及び２５の間に配設された複数（本実施の形態では３個）の係合部２１、２２及び２３と、底面１０Ｌの壁部２４と壁部２５との間となる領域に開口された開口部２６と、を有している。
【００２８】
係合部２１、２２及び２３は、この順で下から上に向けて配置されると共に、上方にいくにしたがって箱体１０の外側に近づくよう階段状に配設されている。（例えば、図１、図５、図７、図８等参照）。係合部２１は、壁部２４と壁部２５との間に配設された断面略Ｌ字状（図８等参照）のＬ字状壁部２７と、Ｌ字状壁部２７の略垂直壁２７Ｖの略中央部に形成された略長方形の切欠部２８を有している。切欠部２８は、開口部２６に連通しており、略垂直壁２７Ｖのうち、切欠部２８の水平方向両側を画定する部分が、開口部２６に向けて突出した形状となっている。この切欠部２８には、後に詳述する被係合部８５Ａ（８５Ｂ）が挿脱可能に挿入される。
【００２９】
係合部２２は、壁部２４及び２５と一体的に形成され且つ壁部２４と壁部２５との間に配設された断面略Ｌ字状（図８等参照）のＬ字状壁部２９と、Ｌ字状壁部２９の略垂直壁２９Ｖの下端と、Ｌ字状壁部２７の略水平壁２７Ｐの上面との間に形成された挿入孔３０と、Ｌ字状壁部２９の略垂直壁２９Ｖの下端から下方に向けて挿入孔３０内に突出した２つの係合凸部３１及び３２を有している。係合凸部３１及び３２の下端面と、略水平壁２７Ｐの上面との間には、後に詳述する被係合部８５Ａ（８５Ｂ）が挿脱可能な隙間Ｓ1（例えば、図１３等参照）が形成されている。また、係合凸部３１は、切欠部２８よりも壁部２４に近い位置に形成され、係合凸部３２は、切欠部２８よりも壁部２５に近い位置に形成されており、係合凸部３１と係合凸部３２との間には、後に詳述する被係合部８５Ａ（８５Ｂ）が挿脱可能に挿入される。
【００３０】
係合部２３は、壁部２４及び２５と一体的に形成され且つ壁部２４と壁部２５との間に配設された断面略Ｌ字状（図８等参照）のＬ字状壁部３３と、Ｌ字状壁部３３の略垂直壁３３Ｖの下端と、Ｌ字状壁部２９の略水平壁２９Ｐの上面との間に形成された挿入孔３４と、Ｌ字状壁部３３の略垂直壁３３Ｖの下端から下方に向けて挿入孔３３内に突出した２つの係合凸部３５及び３６を有している。係合凸部３５及び３６の下端面と、略水平壁２９Ｐの上面との間には、後に詳述する被係合部８５Ａ（８５Ｂ）が挿脱可能な隙間Ｓ2（例えば、図１３等参照）が形成されている。係合凸部３５は、係合凸部３１よりも壁部２４に近い位置に形成され、係合凸部３６は、係合凸部３２よりも壁部２５に近い位置に形成されており、係合凸部３５と係合凸部３６との間には、後に詳述する被係合部８５Ａ（８５Ｂ）が挿脱可能に挿入される。
【００３１】
壁部２４及び２５の突出方向先端面には、後に詳述する緩衝シート５０が配設された際に、緩衝シート５０を所定の位置に保持するためのリブ３７及び３８が各々形成されている。また、壁部２４及び２５のリブ３７及び３８が形成されている面とは反対側の面（側壁１５Ａ及び１５Ｂの外側面）には、側壁１５Ａ及び１５Ｂと平行に互いに近づく方向に突出したガード壁３９及び４０が形成されている。これらのガード壁３９及び４０は、カバーシート８０を配設した際に、使用者の指等が、被係合部８５Ａ（８５Ｂ）に当たることを防止する役割を果たしている。
【００３２】
緩衝シート５０は弾性を有し、箱体１０の底面１０Ｌ上に配設されるよう底面１０Ｌの形状に準じた形状を有している。この緩衝シート５０は、特に図９等に示すように、箱体１０の底面１０Ｌ上に配設された際に、側壁１５Ａ及び１５Ｂと対向する端部に、開口部２６上に位置して開口部２６を覆う開口カバー部５１Ａ及び５１Ｂが形成されている。開口カバー部５１Ａの両側には、壁部２４及び２５を挿入可能な切欠部５２Ａ及び５３Ａが形成されており、カバー部５１Ｂの両側には、壁部２４及び２５を挿入可能な切欠部５２Ｂ及び５３Ｂが形成されている。また、緩衝シート５０は、箱体１０の底面１０Ｌ上に配設された際に、貫通孔１９上に位置する領域が貫通孔１９の形状に準じて切欠かれており、これによって、箱体１０に緩衝シート５０が配設された際であっても、パチンコ玉が貫通孔１９内に収容可能となっている。
【００３３】
この緩衝シート５０は、箱体１０に配設することで、パチンコ玉が収納される際に発生する騒音や衝撃力を抑制することができると共に、箱体１０の底面１０Ｌを実質的に底上げすることができる。緩衝シート５０は、例えば、ポリエチレン、ポリプロピレン、ポリウレタン、ゴム、ポリエステル系エラストマー、スチレン−ブタジエン系エラストマー、ポリブタジエン系エラストマー、ポリアミド系エラストマー、ポリウレタン系エラストマー、ポリ塩化ビニル系エラストマー等から構成することができる。そしてまた、緩衝シート５０は、所望により、青、赤、黄色、水色、緑、ピンク等、所望の着色や、絵、文字、写真等の画像を描くことができる。また、緩衝シート５０は、透明、半透明であってもよい。
【００３４】
なお、緩衝シート５０を複数枚用意し、底面１０Ｌ上に任意の枚数を積み重ねて配設してもよい。（例えば、図１４及び図１５等参照）。また、緩衝シート５０を複数枚用意する場合、各々の緩衝シート５０は、互いに異なった厚さを有していてもよく、同じ厚さであってもよい。緩衝シート５０の厚さを選択したり、緩衝シート５０の積層枚数を調整することで、箱体１０の底面１０Ｌの実質的な高さを幅広く変更することができる。この結果、パチンコ用玉箱１の内容積を大幅に変更することができ、パチンコ用玉箱１に収容されるパチンコ玉の数を広範囲で調整することができる。
【００３５】
カバーシート８０は弾性及び透過性を有し、箱体１０の底面１０Ｌ上に配設された緩衝シート５０上に配設され、緩衝シート５０が箱体１０から外れないように保持するものである。このカバーシート８０は、特に図１０等に示すように、箱体１０に配設された緩衝シート５０上に配設された際に、側壁１５Ａ及び１５Ｂと対向する端部に、緩衝シート５０の開口カバー部５１Ａ及び５１Ｂ上に位置するカバー部８１Ａ及び８１Ｂと、カバー部８１Ａから延出し、係合部２１、２２、及び２３と係合可能な被係合部８５Ａと、カバー部８１Ｂから延出し、係合部２１、２２、及び２３と係合可能な被係合部８５Ｂとを有している。カバー部８１Ａ及び被係合部８５Ａの両側には、壁部２４及び２５を挿入可能な切欠部８２Ａ及び８３Ａが形成されており、カバー部８１Ｂ及び被係合部８５Ｂの両側には、壁部２４及び２５を挿入可能な切欠部８２Ｂ及び８３Ｂが形成されている。また、カバーシート８０は、箱体１０の底面１０Ｌ上に配設された際に、貫通孔１９上に位置する領域が貫通孔１９の形状に準じて切欠かれており、これによって、箱体１０にカバーシート８０が配設された際であっても、箱体１０に収容されたパチンコ玉が貫通孔１９内に収容可能となっている。
【００３６】
被係合部８５Ａ及び８５Ｂは、同様の形状を有している。これらの被係合部８５Ａ（８５Ｂ）は、特に図１０及び図１８等に示すように、箱体１０の短辺方向両側に、３つの係合凹部８６、８７及び８８が各々形成されており、箱体１０の短辺方向両側は、これらの係合凹部８６、８７及び８８によって段状となっている。この構成により、被係合部８５Ａ及び８５Ｂは、カバー部８１Ａ（８１Ｂ）側から先端側（カバー部８１Ａ（８１Ｂ）と離れた先端側）に向けて、切欠部８２Ａ（８２Ｂ）及び８３Ａ（８３Ｂ）に段階的に近づく形状となる。被係合部８５Ａ（８５Ｂ）において、係合凹部８６と係合凹部８６との間の距離は、図１８等に示すように、切欠部２８に挿入可能な長さとなっており、係合凹部８７と係合凹部８７との間の距離は、図２１等に示すように、係合凸部３１と係合凸部３２との間に挿入可能な長さとなっており、係合凹部８８と係合凹部８８との間の距離は、図２４等に示すように、係合凸部３５と係合凸部３６との間に挿入可能な長さとなっている。
【００３７】
この被係合部８５Ａ（８５Ｂ）は、係合凹部８６と係合凹部８６との間となる領域が、切欠部２８に挿入された際に、係合部２１と係合し、係合凹部８７と係合凹部８７との間となる領域が、係合凸部３１と係合凸部３２との間に挿入された際に、係合凸部３１及び係合凸部３２（すなわち、係合部２２）と係合し、係合凹部８８と係合凹部８８との間となる領域が、係合凸部３５と係合凸部３６との間に挿入された際に、係合凸部３５及び係合凸部３６（すなわち、係合部２３）と係合するようになっている。これらの係合により、カバーシート８０は、箱体１０に確実に取付けられることになる。
【００３８】
なお、緩衝シート５０と、カバーシート８０との間には、図１４及び図１５に示すように、例えば、広告、写真、絵、メッセージカード等、任意のメッセージシート１９０を配置してもよい。この場合、メッセージシート１９０の形状は、緩衝シート５０と同様の形状、あるいは、緩衝シート５０よりも小さく、緩衝シート５０と、カバーシート８０との間に配置可能な任意の形状等、所望により選択することができる。
【００３９】
次に、本実施の形態にかかるパチンコ用玉箱１の具体的な組立て方法の一例について説明する。
【００４０】
箱体１０に１枚の緩衝シート５０（例えば、厚さ５ｍｍ）を配設するには、図１１等に示すように、緩衝シート５０の開口カバー部５１Ａ及び５１Ｂが、対向は位置された係合群２０側に各々位置するようにして、箱体１０の底面１０Ｌ上に緩衝シート５０を載置する。（図１２参照）。この時、開口カバー部５１Ａ及び５１Ｂは、壁部２４及び壁部２５との間に各々位置し、開口部２６の上部を覆うよう配設されるが、略垂直壁２７Ｖと緩衝シート５０との間には、カバーシート８０の被係合部８５Ａ（８５Ｂ）を挿入可能な隙間が形成されている。緩衝シート５０を底面１０Ｌ上に配設することで、底面１０Ｌが、いわゆる上げ底状態となり、底面１０Ｌの高さ（垂直方向の位置）が、実質上５ｍｍ上がったことになる。したがって、緩衝シート５０が配設されていない場合に比べ、箱体１０の内容積を小さくすることができる。
【００４１】
次に、緩衝シート５０が配設された箱体１０にカバーシート８０を配設するには、図１１及び図１３等に示すように、カバーシート８０の被係合部８５Ａ（８５Ｂ）を、略垂直壁２７Ｖと緩衝シート５０との間に形成されている隙間から外部に向けて挿入した後、図１８等に示すように、被係合部８５Ａ（８５Ｂ）の係合凹部８６と係合凹部８６との間となる領域を切欠部２８に挿入し、被係合部８５Ａ（８５Ｂ）を係合部２１に係合させる。このようにして、緩衝シート５０が、カバーシート８０により箱体１０に確実に取付けられる。この時、被係合部８５Ａ（８５Ｂ）は、図１７等に示すように、略垂直壁２７Ｖと緩衝シート５０との間に形成されている隙間から箱体１０の外部に延出するが、ガード壁３９及び４０により、被係合部８５Ａ（８５Ｂ）に使用者の指等が当たることが防止されるようになっている。このようにして、パチンコ用玉箱１が組立てられる。
【００４２】
なお、略垂直壁２７Ｖと緩衝シート５０との間に形成されている隙間、切欠部２８及び開口部２６は連通していため、被係合部８５Ａ（８５Ｂ）を図２５に示すように撓ませて下方に下げることができる。このように、被係合部８５Ａ（８５Ｂ）を下方に下げることで、被係合部８５Ａ（８５Ｂ）と係合部２１との係合を解除することができるため、被係合部８５Ａ（８５Ｂ）を略垂直壁２７Ｖと緩衝シート５０との間に形成されている隙間から簡単に抜き取ることができる。したがって、カバーシート８０を箱体１０から簡単に取外すことができる。
【００４３】
また、さらに箱体１０の底面１０Ｌの高さを上げたい場合は、例えば、この緩衝シート５０を２枚重ねればよい。具体的には、例えば、図１１等に示すように緩衝シート５０（例えば、厚さ５ｍｍ）を配置した後、この緩衝シート５０（例えば、厚さ５ｍｍ）の上に、他の緩衝シート５０（例えば、厚さ４ｍｍ）を前記と同様に載置し、その上にカバーシート８０を配設すればよい。この時、カバーシート８０は、２枚の緩衝シート５０の合計厚さが９ｍｍとなっているため、被係合部８５Ａ（８５Ｂ）は、その位置に合った係合部２２と係合することになる。具体的には、被係合部８５Ａ（８５Ｂ）を、図１９〜図２１等に示すように、係合凸部３１及び３２の下端面と、略水平壁２７Ｐの上面（あるいは、２枚重ねされた緩衝シート５０の上面）との間に形成されている隙間Ｓ1から外部に向けて挿入した後、被係合部８５Ａ（８５Ｂ）の係合凹部８７と係合凹部８７との間となる領域を、挿入孔３０の係合凸部３１と係合凸部３２との間に挿入し、被係合部８５Ａ（８５Ｂ）を係合部２２（係合凸部３１及び係合凸部３２）に係合させる。このようにして、２枚の緩衝シート５０がカバーシート８０により箱体１０に確実に取付けられる。
【００４４】
この時、被係合部８５Ａ（８５Ｂ）は、図２０等に示すように、隙間Ｓ1から箱体１０の外部に延出するが、前記と同様にガード壁３９及び４０により、被係合部８５Ａ（８５Ｂ）に使用者の指等が当たることが防止されるようになっている。このようにして、パチンコ用玉箱１が組立てられる。また、２枚重ねされた緩衝シート５０は、壁部２４及び壁部２５に各々形成されたリブ３７及び３８に当接し、仮に、箱体１０の内壁が傾斜面となっていても、斜めにずれることが防止される。したがって、２枚重ねの緩衝シート５０を所定の位置に保持することができる。このように、２枚の緩衝シート５０を底面１０Ｌ上に配設することで、底面１０Ｌの高さ（垂直方向の位置）が、実質上９ｍｍ上がったことになり、箱体１０の内容積をさらに小さくすることができる。
【００４５】
そしてまた、さらに箱体１０の底面１０Ｌの高さを上げたい場合は、例えば、この緩衝シート５０を３枚重ねればよい。具体的には、例えば、前述したように２枚の緩衝シート５０（例えば、厚さ５ｍｍと４ｍｍ）を箱体１０の底面１０Ｌに配置した後、この上に他の緩衝シート５０（例えば、厚さ３ｍｍ）を前記と同様に載置し、その上にカバーシート８０を配設すればよい。この時、カバーシート８０は、３枚の緩衝シート５０の合計厚さが１２ｍｍとなっているため、被係合部８５Ａ（８５Ｂ）は、その位置に合った係合部２３と係合することになる。具体的には、被係合部８５Ａ（８５Ｂ）を、図２２〜図２４等に示すように、係合凸部３５及び３６の下端面と、略水平壁２９Ｐの上面（あるいは、３枚重ねされた緩衝シート５０の上面）との間に形成されている隙間Ｓ2から外部に向けて挿入した後、被係合部８５Ａ（８５Ｂ）の係合凹部８８と係合凹部８８との間となる領域を、挿入孔３０の係合凸部３５と係合凸部３６との間に挿入し、被係合部８５Ａ（８５Ｂ）を係合部２３（係合凸部３５及び係合凸部３６）に係合させる。このようにして、３枚の緩衝シート５０がカバーシート８０により箱体１０に確実に取付けられる。
【００４６】
この時、被係合部８５Ａ（８５Ｂ）は、図２３等に示すように、隙間Ｓ2から箱体１０の外部に延出するが、前記と同様にガード壁３９及び４０により、被係合部８５Ａ（８５Ｂ）に使用者の指等が当たることが防止されるようになっている。このようにして、パチンコ用玉箱１が組立てられる。また、３枚重ねされた緩衝シート５０は、前記と同様にリブ３７及び３８に当接し、斜めにずれることが防止されるため、３枚重ねの緩衝シート５０を所定の位置に保持することができる。このように、３枚の緩衝シート５０を底面１０Ｌ上に配設することで、底面１０Ｌの高さ（垂直方向の位置）が、実質上１２ｍｍ上がったことになり、箱体１０の内容積をさらに小さくすることができる。
【００４７】
なお、本実施の形態では、箱体１０の側壁１５Ａ及び１５Ｂに、３つの係合部２１〜２３を有する係合群２０を各々形成した場合について説明したが、これに限らず、係合部の配設数は任意に決定することができる。また、係合群２０は、側壁１４Ａ及び１４Ｂに形成してもよい。また、緩衝シート５０は、上述した厚さの以外でも使用することができ、重ねる枚数も係合部の位置（高さ）に応じて任意に決定することができる。
【００４８】
また、本実施の形態では、カバーシート８０により箱体１０に緩衝シート５０を取付ける場合について説明したが、これに限らず、例えば、図２６に示すように、緩衝シート５０をカバーシート８０と同様の構成とし、緩衝シート５０に形成された被係合部８５Ａ（８５Ｂ）を係合部２１〜２３に係合させてもよい。この場合、緩衝シート５０の厚さに応じて、切欠部２８の高さ方向の距離、隙間Ｓ1及び挿入孔３０の高さ方向の距離、係合凸部３１及び３２の高さ方向の長さ、隙間Ｓ2及び挿入孔３４の高さ方向の距離、係合凸部３５及び３６の高さ方向の長さ等を必要に応じて変更すればよい。なお、この場合も、緩衝シート５０に形成された被係合部８５Ａ（８５Ｂ）を撓ませて下方に下げることで、被係合部８５Ａ（８５Ｂ）を簡単に抜き取ることができる。
【００４９】
そしてまた、本実施の形態では、係合部２１〜２３を階段状に形成した場合について説明したが、これに限らず、係合部２１〜２３は、同一垂直面上（例えば、略垂直壁２７Ｖと面一）に形成してもよい。
【００５０】
また、本実施の形態では、箱体の底面に配置されるシートとして、緩衝シート５０を使用した場合について説明したが、これに限らず、前記シートは、必ずしも緩衝性を有していなくてもよい。
【００５１】
さらにまた、本実施の形態では、収容箱として、パチンコ用玉箱を例にとって説明したが、これに限らず、収容箱は、例えば、スロットマシンやパチスロ機のメダル等、種々の被収納物を収納する収納箱に応用可能であることは勿論である。
【図面の簡単な説明】
【００５２】
【図１】本発明の実施の形態にかかるパチンコ用玉箱の構成要素である箱体の斜視図である。
【図２】図１に示す箱体の平面図である。
【図３】図１に示す箱体を図１に示す矢印Ａ方向から見た側面図である。
【図４】図１に示す箱体の底面図である。
【図５】図１に示す箱体を図１に示す矢印Ｂ方向から見た側面図である。
【図６】図２に示すVI−VI線に沿った断面図である。
【図７】図３に示すVII−VII線に沿った断面図である。
【図８】図６に示す箱体の一部を拡大して示す断面図である。
【図９】本発明の実施の形態にかかるパチンコ用玉箱の構成要素である緩衝シートの斜視図である。
【図１０】本発明の実施の形態にかかるパチンコ用玉箱の構成要素であるカバーシートの斜視図である。
【図１１】本実施の形態にかかるパチンコ用玉箱の一例を示す分解斜視図である。
【図１２】図１に示す箱体に１枚の緩衝シートをセットした状態を示す斜視図である。
【図１３】箱体にセットされた緩衝シートの枚数に応じてカバーシートをセットする状態を示す斜視図である。
【図１４】本実施の形態にかかるパチンコ用玉箱の一例を示す分解斜視図である。
【図１５】図１４に示すパチンコ用玉箱が完成した状態を示す斜視図である。
【図１６】本発明の実施の形態にかかるパチンコ用玉箱の一部を拡大して示す平面図である。
【図１７】図１６に示すXVII−XVII線に沿った断面図である。
【図１８】図１７に示すXVIII−XVIII線に沿った断面図である。
【図１９】本発明の実施の形態にかかるパチンコ用玉箱の一部を拡大して示す平面図である。
【図２０】図１９に示すXX−XX線に沿った断面図である。
【図２１】図２０に示すXXI−XXI線に沿った断面図である。
【図２２】本発明の実施の形態にかかるパチンコ用玉箱の一部を拡大して示す平面図である。
【図２３】図２２に示すXXIII−XXIII線に沿った断面図である。
【図２４】図２３に示すXXIV−XXIV線に沿った断面図である。
【図２５】図１７に示すパチンコ用玉箱からカバーシートを取外す途中の状態を示す断面図である。
【図２６】本発明の他の実施の形態にかかるパチンコ用玉箱の一例を示す分解斜視図である。
【符号の説明】
【００５３】
１    パチンコ用玉箱
１０    箱体
１０Ｌ    底面
２０    係合群
２１、２２、２３    係合部
２６    開口部
３１、３２、３５、３６    係合凸部
５０    緩衝シート
８０    カバーシート
８５Ａ、８５Ｂ    被係合部
８６、８７、８８    係合凹部
【図１】
2010051392.tif 000003
【図２】
2010051392.tif 000004
【図３】
2010051392.tif 000005
【図４】
2010051392.tif 000006
【図５】
2010051392.tif 000007
【図６】
2010051392.tif 000008
【図７】
2010051392.tif 000009
【図８】
2010051392.tif 000010
【図９】
2010051392.tif 000011
【図１０】
2010051392.tif 000012
【図１１】
2010051392.tif 000013
【図１２】
2010051392.tif 000014
【図１３】
2010051392.tif 000015
【図１４】
2010051392.tif 000016
【図１５】
2010051392.tif 000017
【図１６】
2010051392.tif 000018
【図１７】
2010051392.tif 000019
【図１８】
2010051392.tif 000020
【図１９】
2010051392.tif 000021
【図２０】
2010051392.tif 000022
【図２１】
2010051392.tif 000023
【図２２】
2010051392.tif 000024
【図２３】
2010051392.tif 000025
【図２４】
2010051392.tif 000026
【図２５】
2010051392.tif 000027
【図２６】
2010051392.tif 000028